(57)【要約】      （修正有）【課題】目地部を覆う左右の目地プレートにカバープレートを取付け、地震で揺れ動いても、左右のカバープレートが、回動しなくなったりするのを効率よく阻止することができる床用目地装置を提供する。【解決手段】内側床躯体２と外側床躯体３との間に形成されたアングル状の目地部４を隙間なく当接するように覆う台形状の左右の目地プレート８を用いた床用目地装置１において、左右の目地プレート８の一方の目地プレートの先端部にヒンジ部材１２を介して回動可能で、かつ端部より外方へ突出するように取付けられた長方形状の一方のカバープレート１１と、他方の目地プレートの先端部にヒンジ部材１２を介して回動可能に取付けられた他方のカバープレート１４と、一方のカバープレート１１に他方のカバープレートと対応する側の角部が下方へ回動できるようにヒンジ部材１２を介した突出防止片て床用目地装置１を構成している。【選択図】図１
2011252326.tif 000002
【特許請求の範囲】
【請求項１】
内側床躯体と外側床躯体との間に形成されたアングル状の目地部を隙間なく当接するように覆う台形状の左右の目地プレートを用いた床用目地装置において、前記左右の目地プレートの一方の目地プレートの先端部にヒンジ部材を介して回動可能で、かつ該一方の目地プレートの端部より外方へ突出するように取付けられた長方形状の一方のカバープレートと、前記左右の目地プレートの他方の目地プレートの先端部にヒンジ部材を介して回動可能に取付けられた他方のカバープレートと、前記一方のカバープレートに前記他方のカバープレートと対応する部位側の角部が下方へ回動できるようにヒンジ部材を介した突出防止片となるようにしたことを特徴とする床用目地装置。
【請求項２】
突出防止片は左右の目地プレート側より、外側が順次拡開する形状に形成されたものを用いたことを特徴とする請求項１記載の床用目地装置。
【請求項３】
一方のカバープレートと他方のカバープレートとの間に間隔を設け、該間隔を覆うように該一方のカバープレートにヒンジ部材を介して回動可能に取付けられた突出防止片とを設けたことを特徴とする請求項１記載の床用目地装置。
【発明の詳細な説明】
【技術分野】
【０００１】
本発明は内側床躯体と外側床躯体との間に形成されたアングル状の目地部を覆う床用目地装置に関する。
【背景技術】
【０００２】
従来、この種の床用目地装置は人が通行したり、トラックが通行するため、金属材製の浅皿状の目地プレート本体を用いた目地プレートを使用している。
このような目地プレートを使用した場合、地震で目地プレートが移動すると、目地プレートの先端部との間に凹部ができたり、先端部が外方へ突出するため、危険になるため、目地プレートの先端部に上下方向に回動するカバープレートを用いている。
【０００３】
このようなカバープレートは直線状に配置された所では問題が生じないが、アングル状の目地部を覆う左右の隅部カバープレートは、該左右の隅部カバープレートの先端部が下方へ回動すると、支点の関係で先端部側の端部が他方の端部方向へ突出するようになり、左右の隅部カバープレートの端部が衝突状態となって回動を阻止し、危険な状態になるという欠点があった。
【先行技術文献】
【特許文献】
【０００４】
【特許文献１】特許３４０９３１２号公報
【特許文献２】特開２００９−６８２１２号公報
【発明の概要】
【発明が解決しようとする課題】
【０００５】
本発明は以上のような従来の欠点に鑑み、アングル状の目地部を覆う左右の目地プレートにカバープレートを取付けても、該左右の目地プレートが地震で揺れ動いても、左右のカバープレートの端部が左右のカバープレートの端部と突き当って、回動しなくなったりするのを効率よく阻止することができ、安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は内側床躯体と外側床躯体との間に形成されたアングル状の目地部を隙間なく当接するように覆う台形状の左右の目地プレートを用いた床用目地装置において、前記左右の目地プレートの一方の目地プレートの先端部にヒンジ部材を介して回動可能で、かつ該一方の目地プレートの端部より外方へ突出するように取付けられた長方形状の一方のカバープレートと、前記左右の目地プレートの他方の目地プレートの先端部にヒンジ部材を介して回動可能に取付けられた他方のカバープレートと、前記一方のカバープレートに前記他方のカバープレートと対応する部位側の角部が下方へ回動できるようにヒンジ部材を介した突出防止片となるようにして床用目地装置を構成している。
【発明の効果】
【０００９】
以上の説明から明らかなように、本発明にあっては次に列挙する効果が得られる。
（１）請求項１により、左右の目地プレートが地震で揺れ動き、該左右の目地プレートの先端部に取付けられた左右のカバープレートの先端部が下方へ回動する時に、この下方への回動を阻止するのを防止することができるとともに、左右のカバープレートの先端部が下方へ回動することにより生ずる、後端部が上方へ突出し、危険になるのを突出防止片で阻止することができる。
したがって、安全に使用することができる。
（２）前記（１） により、一方のカバープレートにヒンジ部材を介して突出防止片を取付けるだけでよいので、構造が簡単で、容易に設置することができる。
（３）前記（１） によって、一方のカバープレートと、他方のカバープレートに長方形状の部材を用いることができるので、安価に形成することができるとともに、その取付けも容易に行なうことができる。
（４）請求項２も前記（１）〜（３）と同様な効果が得られるとともに、左右の目地プレートが大きく揺れ動いても、凹部が大きくなるのを効率よく阻止することができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の目地部を示す平面図。
【図５】本発明を実施するための第１の形態の一方のカバープレートと突出防止片の取付け状態の説明図。
【図６】本発明を実施するための第１の形態の目地部が広くなった動作説明図。
【図７】本発明を実施するための第１の形態の他方のカバープレートだけが回動した状態の説明図。
【図８】図７の８−８線に沿う断面図。
【図９】本発明を実施するための第１の形態の目地部が狭くなった動作説明図。
【図１０】本発明を実施するための第２の形態の平面図。
【図１１】図１０の１１−１１線に沿う断面図。
【図１２】本発明を実施するための第２の形態の一方のカバープレートと突出防止片の取付け状態の説明図。
【図１３】本発明を実施するための第３の形態の平面図。
【図１４】図１３の１４−１４線に沿う断面図。
【図１５】本発明を実施するための第３の形態の一方のカバープレートと突出防止片の取付け状態の説明図。
【発明を実施するための形態】
【００１１】
以下、図面に示す本発明を実施するための形態により、本発明を詳細に説明する。
【００１２】
図１ないし図９に示す本発明を実施するための第１の形態において、１は内側床躯体２と外側床躯体３との間に形成されたアングル状の目地部４を隙間なく当接するように覆う本発明の床用目地装置で、この床用目地装置１は前記内側床躯体２の目地部４側に形成された目地プレート支持凹部５と、この目地プレート支持凹部５と対応する部位の前記外側床躯体３の目地部４側に、該目地部の幅寸法とほぼ同じ幅寸法で、反目地部側が傾斜面６の目地プレートスライド支持凹部７と、後端部が前記目地プレート支持凹部５に支持され、先端部が前記目地プレートスライド支持凹部７にスライド移動可能に支持された隅部の目地部４を覆うように当接する金属材製の台形状の浅皿状の目地プレート本体８ａにコンクリート８ｂ等を充填した台形状の左右の目地プレート８、８と、この左右の目地プレート８、８の後端部を先端部が上方へ回動できるように係止する、前記目地プレート支持凹部５に取付けられた、従来から一般に使用されている目地プレート係止手段９、９と、前記左右の目地プレート８、８の一方の目地プレート８の先端部にヒンジ部材１０を介して回動可能で、かつ該一方の目地プレート８の端部より外方へ突出するように取付けられた長方形状の一方のカバープレート１１と、前記左右の目地プレート８、８の他方の目地プレート８の先端部にヒンジ部材１２を介して回動可能で、かつ前記一方のカバープレート１１との間に間隔１３を設けて取付けられた他方のカバープレート１４と、前記間隔１３を覆うように前記一方のカバープレート１１にヒンジ部材１５を介して回動可能に取付けられた突出防止片１６と、前記左右の目地プレート８、８と直列状態となるように、前記目地プレート支持凹部５と前記目地プレートスライド支持凹部７に支持された先端部にカバープレート１７、１７を備えた、従来から一般に使用されている金属材製の目地プレート本体８ａにコンクリート８ｂを充填した長方形状の目地プレート１８、１８とで構成されている。
【００１３】
上記構成の床用目地装置１は、通常状態では図１に示すように内側床躯体２と外側床躯体３との間のアングル状の目地部４は左右の目地プレート８、８、目地プレート１８、１８、一方のカバープレート１１、他方のカバープレート１４および突出防止片１６でほぼ平坦で、隙間のない状態で覆われており、人の通行やトラックの通行が安全にできる状態となっている。
【００１４】
地震で目地部４が広くなるように、内側床躯体２と外側床躯体３とが揺れ動くと、図６に示すように目地プレート１８、１８、左右の目地プレート８、８の先端部は目地プレートスライド支持凹部７上をスライド移動し、一方のカバープレート１１、他方のカバープレート１４の先端部は目地プレートスライド支持凹部７の底面と当接するように下方へ回動し、大きな凹部が生じるのを防止するとともに、一方のカバープレート１１の回動により、後端部にヒンジ部材１５を介して取付けられた突出防止片１６の他方のカバープレート１４の端部側の先端部が下方へ回動して隙間が生じるのを阻止する。
【００１５】
地震で、図７および図８に示すように他方のカバープレート１４の先端部だけが目地プレートスライド支持凹部７の底面と当接するように下方へ回動した場合、一方のカバープレート１１にヒンジ部材１５を介して取付けられた突出防止片１６の先端部が下方へ回動し、段差や隙間が生じるのを防止する。
【００１６】
地震で、図９に示すように目地部４が狭くなった場合、目地プレート１８、１８、左右の目地プレート８、８の先端部は目地プレートスライド支持凹部７の傾斜面６を乗り上げ、一方のカバープレート１１および他方のカバープレート１４の先端部が下方へ回動して、隙間や段差が生じるのを阻止するとともに、突出防止片１６も回動して、該部位に隙間や段差が生じるのを阻止する。
【００１７】
[発明を実施するための異なる形態]
次に、図１０ないし図１５に示す本発明を実施するための異なる形態につき説明する。なお、この本発明を実施するための異なる形態の説明に当って、前記本発明を実施するための第１の形態と同一構成部分には同一符号を付して重複する説明を省略する。
【００１８】
図１０ないし図１２に示す本発明を実施するための第２の形態において、前記本発明を実施するための第１の形態と主に異なる点は、左右の目地プレート８、８側よりも外側が順次拡開する形状の間隔１３Ａを形成するとともに、該間隔１３Ａの形状とほぼ同じ形状の突出防止片１６Ａを一方のカバープレート１１にヒンジ部材１５を介して取付けた点で、このように構成した床用目地装置１Ａにしても、前記本発明を実施するための第１の形態と同様な作用効果が得られる。
【００１９】
なお、前記本発明を実施する各形態では目地プレート支持凹部５および目地プレートスライド支持凹部７を内側床躯体２および外側床躯体３に直接形成したものについて説明したが、本発明はこれに限らず、目地プレート支持凹部５および目地プレートスライド支持凹部７の底面に金属材製の下地材を設置したものを用いても、同様な作用効果が得られる。
【００２０】
図１３ないし図１５に示す本発明を実施するための第３の形態において、前記本発明を実施するための第１の形態と主に異なる点は、板状の一方のカバープレート１１Ａとに隙間なく他方のカバープレート１４を左右の目地プレート８、８の先端部に取付けるとともに、一方のカバープレート１１Ａの他方のカバープレート１４部位側の角部が下方へ回動できるようにヒンジ部材１５を介した突出防止片１６Ｂとなるようにした点で、このように構成した床用目地装置１Ｂにしても、前記本発明を実施するための第１の形態と同様な作用効果が得られる。
【００２１】
なお、突出防止片１６Ｂは左右の目地プレート８、８の当接部の延長線で切断するよりは、板厚分だけ他方のカバープレート１４側で切断したものにした方がよい。また、突出防止片１６Ｂの形状は二等辺直角三角形にしたものを図示したが、これに限らず直角三角形にしたものを用いてもよい。
【産業上の利用可能性】
【００２２】
本発明は内側床躯体と外側床躯体との間に形成されたアングル状の目地部を覆う床用目地装置を製造する産業で利用される。
【符号の説明】
【００２３】
１、１Ａ、１Ｂ：床用目地装置、  ２：内側床躯体、
３：外側床躯体、      ４：目地部、
５：目地プレート支持凹部、  ６：傾斜面、
７：目地プレートスライド支持凹部、
８：左右の目地プレート、    ９：目地プレート係止手段、
１０：ヒンジ部材、      １１、１１Ａ：一方のカバープレート、
１２：ヒンジ部材、      １３、１３Ａ：間隔、
１４：他方のカバープレート、  １５：ヒンジ部材、
１６、１６Ａ、１６Ｂ：突出防止片、
１７：カバープレート、        １８：目地プレート。
【図１】
2011252326.tif 000003
【図２】
2011252326.tif 000004
【図３】
2011252326.tif 000005
【図４】
2011252326.tif 000006
【図５】
2011252326.tif 000007
【図６】
2011252326.tif 000008
【図７】
2011252326.tif 000009
【図８】
2011252326.tif 000010
【図９】
2011252326.tif 000011
【図１０】
2011252326.tif 000012
【図１１】
2011252326.tif 000013
【図１２】
2011252326.tif 000014
【図１３】
2011252326.tif 000015
【図１４】
2011252326.tif 000016
【図１５】
2011252326.tif 000017